(57)【要約】【課題】下方への水の浸入を確実に阻止することができるキッチンを提供するものである。【解決手段】  天板Ｔの下に、複数の収納庫２，４，６からなる収納庫本体Ｈを備えたキッチンであって、前記収納庫本体Ｈから前記天板Ｔの左右両端が左右両側に突出し、前記収納庫本体Ｈの左右両側面を覆うための化粧用側板１０，１１を、それの上端が前記天板Ｔの下に位置する状態で該収納庫本体Ｈの左右両側面にそれぞれ連結した。【選択図】図４
2009006092.tif 000002
【特許請求の範囲】
【請求項１】
天板の下に、複数の収納庫からなる収納庫本体を備えたキッチンであって、
前記収納庫本体から前記天板の左右両端が左右両側に突出し、前記収納庫本体の左右両側面を覆うための化粧用側板を、それの上端が前記天板の下に位置する状態で該収納庫本体の左右両側面にそれぞれ連結したことを特徴とするキッチン。
【請求項２】
前記化粧用側板が、前記天板と同一材料からなるとともに、該天板と同一厚みで同一幅を有する大きさに設定されていることを特徴とする請求項１記載のキッチン。
【請求項３】
前記収納庫本体からの前記天板の左右両端の突出長さを、前記化粧用側板の厚みよりも長く設定したことを特徴とする請求項１又は２記載のキッチン。
【発明の詳細な説明】
【技術分野】
【０００１】
本発明は、天板の下に、複数の収納庫からなる収納庫本体を備えたキッチンに関する。
【背景技術】
【０００２】
上記キッチンとしては、天板の左右両端面と収納庫本体の左右両端面とが上下方向においてほぼ面一になるように配置し、それら面一になった天板の左右両端面と収納庫本体の左右両端面とに接当する状態で化粧用側板を収納庫本体に連結したものが提案されている（例えば、特許文献１参照）。
【特許文献１】特開２００２−３１５６３８号公報（図１参照）
【発明の開示】
【発明が解決しようとする課題】
【０００３】
上記特許文献１によれば、例えば図６（ａ）に示すように、天板Ｔの左右両端面２０（図では右側端面のみ図示）とこれと接当する化粧用側板２１の内側面２１Ａとの間とが密に接触した状態になっているものの、天板Ｔ上に水が存在していると、前記天板Ｔの左右両端面２０とこれと接当する化粧用側板２１の内側面２１Ａとの境界部を通して下方へ水が浸入してしまう不都合が発生することがあった。
又、例えば天板Ｔ又は収納庫本体の左右方向外側に位置する側板２２の製造誤差やそれら両者の組付け誤差等に起因して、図６（ｂ），（ｃ）に示す不都合も発生する。つまり、図６（ｂ）に示すように、天板Ｔの左右方向外側端面２０が、収納庫本体の左右方向外側に位置する側板２１よりも距離Ａ１だけ外側に位置している場合に、天板Ｔの左右方向外側端面２０に化粧用側板２１の内側面２１Ａを当て付けた状態でビスＢ１にて化粧用側板２１を収納庫本体の左右方向外側に位置する側板２２に連結すると、化粧用側板２１が上端側ほど天板Ｔから離間する側へ位置する傾斜姿勢（２点鎖線で示す姿勢）になってしまい、化粧用側板２１を安定よく取り付けることができないだけでなく、前記天板Ｔと化粧用側板２１との隙間が大きくなる結果、前記不都合を増大するものであった。
又、図６（ｃ）に示すように、天板Ｔの左右方向外側端面２０が、収納庫本体の左右方向外側に位置する側板２２よりも距離Ａ２だけ内側に位置している場合に、天板Ｔの左右方向外側端面２０と化粧用側板２１の内側面２１Ａとの間に隙間Ａ２が発生してしまい、その隙間Ａ２から水が浸入してしまうことになるため、パッキン等により前記隙間Ａ２を埋める作業が必要になることから、改善の余地があった。
【０００４】
本発明は前述の状況に鑑み、解決しようとするところは、下方への水の浸入を確実に阻止することができるキッチンを提供するものである。
【課題を解決するための手段】
【０００５】
本発明は、天板の下に、複数の収納庫からなる収納庫本体を備えたキッチンであって、前記収納庫本体から前記天板の左右両端が左右両側に突出し、前記収納庫本体の左右両側面を覆うための化粧用側板を、それの上端が前記天板の下に位置する状態で該収納庫本体の左右両側面にそれぞれ連結したことを特徴としている。
上記のように、左右両側に突出した天板の左右両端の下に化粧用側板の上端が位置していることから、天板上にある水が天板を通して下方に移動することはない。しかも化粧用側板は、収納庫本体の左右両側面に確実に接触させた状態で安定よく連結することができる。
【０００６】
前記化粧用側板が、前記天板と同一材料からなるとともに、該天板と同一厚みで同一幅を有する大きさに設定されていてもよい。
【０００７】
前記収納庫本体からの前記天板の左右両端の突出長さを、前記化粧用側板の厚みよりも長く設定してもよい。
【発明の効果】
【０００８】
収納庫本体の左右両側面を覆うための化粧用側板を、それの上端が天板の下に位置する状態で収納庫本体の左右両側面にそれぞれ連結することによって、化粧用側板を、収納庫本体の左右両側面に確実に接触させた状態で安定よく連結することができるとともに、天板上の水が下方の収納庫本体内へ浸入することを確実に阻止することができるキッチンを提供することができる。
【０００９】
前記化粧用側板が、前記天板と同一材料からなるとともに、該天板と同一厚みで同一幅を有する大きさに設定することによって、コストの低減を図ることができながらも、高級感や意匠感を高めることができ、商品価値を高めることができる。
【００１０】
前記収納庫本体からの前記天板の左右両端の突出長さを、前記化粧用側板の厚みよりも長く設定することによって、寸法誤差や組付け誤差等が発生した場合でも、天板の左右両端から化粧用側板の一部が左右方向外側に食み出すことを阻止することができる。
【発明を実施するための最良の形態】
【００１１】
図１及び図２に、キッチン（システムキッチンとも言う）を示している。前記キッチンは、（人工）大理石やステンレスあるいは木等（場合によっては硬質合成樹脂でもよい）からなる外形が長方形状の天板Ｔの下に、複数（図では３個であるが、２個又は４個以上でもよい）の収納庫２，４，６を左右方向に併設してなる収納庫本体Ｈを備えている。前記左側に位置する収納庫２は、前記天板ＴにＩＨクッキングヒータ１を備えたヒータ用収納庫であり、前記左右中央に位置する収納庫４は、蛇口Ｊ及び流し台３を前記天板Ｔに備えたシンク用収納庫であり、右側に位置する収納庫６は、前記天板Ｔに一段低くなった作業スペース用の凹部５を備えた作業台用収納庫であるが、これらの収納庫に代えて、他の収納庫を併設してもよい。又、前記３つの収納庫２，４，６の下方には、スライド自在な引出し７，８，９を備えているが、それら収納庫２，４，６自体の具体的構成も、自由に変更可能である。
【００１２】
図１及び図２に示す１０，１１は、前記収納庫本体Ｈの左右両側面に連結された縦長の長方形状の左右一対の化粧用側板である。
前記化粧用側板１０，１１は、前記天板Ｔと同一材料、つまり（人工）大理石やステンレスあるいは木等（場合によっては硬質合成樹脂でもよい）からなるとともに、該天板Ｔと同一厚みで同一幅を有する大きさに設定されている。換言すれば、長さのみを化粧用側板や天板の長さに合うように構成することによって、別々の材料で構成する場合に比べて、コストの低減を図ることができながらも、同一材料を用いることで、高級感や意匠感を高めることができ、好ましいが、天板Ｔと異なる材料で構成することもできるし、又、材料は同一で天板Ｔと厚み及び幅のうちの少なくとも一方が異なるように構成して実施することもできる。
【００１３】
図４に示すように、前記収納庫本体Ｈから前記天板Ｔの左右両端が左右両側に前記化粧用側板１０，１１の厚み分だけ突出し、前記収納庫本体Ｈの左右両側面を覆うための該化粧用側板１０，１１を、それの上端が前記天板Ｈの下に位置する状態で該収納庫本体Ｈの左右両側面、つまり両端に位置する収納庫２，６の左右方向外側に位置する側板１２，１３にビス１４を介してそれぞれ連結している（左端側にはビス１４を示していないが、右端と同一の取付構造である）。
上記のように、左右両側に突出した天板Ｔの左右両端の下に化粧用側板１０，１１の上端が位置していることから、例えば図３に示すように、天板Ｔ上にある水Ｍは、天板Ｈ上に接合部分がないため、天板Ｔを通して下方の収納庫６内に移動することがない。しかも、図４及び図５に示すように、化粧用側板１０，１１の内側面１０Ａ，１１Ａを、収納庫本体Ｈの左右両側面となる前記側板１２，１３の外側面１２Ａ，１３Ａに確実に接触させて、化粧用側板１０，１１を側板１２，１３に安定よく連結することができる。
【００１４】
図４及び図５に示すように、前記側板１２，１３には、前記ビス１４のネジ部１４Ａを挿通可能な多数（図４では４個であるが、何個でもよい）の貫通孔１２Ｋ，１３Ｋを形成し、この貫通孔１２Ｋ又は１３Ｋに対応する前記化粧用側板１０又は１１の位置に内側面から凹部１０Ｋ又は１１Ｋを形成し、その凹部１０Ｋ又は１１Ｋ内に前記ビス１４のネジ部１４Ａが螺合する螺合部材１５を挿入して固定している。従って、ビス１４のネジ部１４Ａを貫通孔１２Ｋ又は１３Ｋを挿通させてから、化粧用側板１０又は１１の螺合部材１５に螺合させることにより、化粧用側板１０又は１１を側板１２又は１３に連結固定することができるようにしているが、図に示す構成に限定されるものではなく、例えば外側からビス止めする構成や、場合によっては係止機構や接着剤等を用いて連結してもよい。図５では、天板Ｔの底面ｔに化粧用側板１０，１１の上端面１０Ｔ，１１Ｔが接当している状態になっていて、好ましいが、隙間が空いていてもよい。その場合には、前記隙間をパッキン等により埋めるようにしてもよい。
【００１５】
前記収納庫本体Ｈからの前記天板Ｔの左右両端の突出長さを、前記化粧用側板の厚みとほぼ同一の長さに設定する他、図２の破線で示すように突出端が延びたＨ１，Ｈ２となるように化粧用側板１０，１１の厚みよりも天板Ｔの左右両端の突出長さを長く設定して実施してもよい。この場合、寸法誤差や組付け誤差等が発生した場合でも、天板Ｔの左右両端から化粧用側板１０，１１が左右方向外側に食み出すことを阻止することができる利点がある。
【図面の簡単な説明】
【００１６】
【図１】キッチンの斜視図である。
【図２】キッチンの正面図である。
【図３】右端に位置する収納庫の斜視図である。
【図４】化粧用側板を取り付ける直前の状態を示すキッチンの分解斜視図である。
【図５】化粧用側板と側板との連結構造を示す要部の縦断面図である。
【図６】（ａ），（ｂ），（ｃ）は従来の化粧用側板と側板との連結構造を示す要部の説明図である。
【符号の説明】
【００１７】
１…クッキングヒータ、２，４，６…収納庫、３…流し台、５…凹部、７，８，９…引出し、１０，１１…化粧用側板、１０Ａ，１１Ａ…内側面、１０Ｋ…凹部、１２，１３…側板、１２Ａ，１３Ａ…外側面、１２Ｋ，１３Ｋ…貫通孔、１４…ビス、１５…螺合部材、２０…左右両端面、２１…化粧用側板、２１Ａ…内側面、２２…側板、Ｈ…天板、Ｊ…蛇口、Ｍ…水、Ｔ…天板
【図１】
2009006092.tif 000003
【図２】
2009006092.tif 000004
【図３】
2009006092.tif 000005
【図４】
2009006092.tif 000006
【図５】
2009006092.tif 000007
【図６】
2009006092.tif 000008